(57)【要約】【課題】  包装付き成形米飯食品に使用するシート体内のシート状食品が湿気ることを防止する。【解決手段】  短手方向に２分割するための分断手段を有する表側フィルム１０に、短手方向に２分割した一対のフィルム片１３、１４により表側フィルムの全部又は一部を覆うと共に表側フィルムの分断手段に位置する箇所にフィルム片同士の重なり部を設けた裏側フィルムを重ね合わせ、内部にシート状食品Ｎを収容するための袋部を構成するように表側フィルムと裏側フィルムをヒートシールにより融着した成形米飯食品を包装するためのシート体において、裏側フィルムの一対のフィルム片の重なり部Ｋにおいて、重なりの外側に位置する側のフィルム片の裏面に帯状のテープ１５を重なり部に沿って積層する。【選択図】      図１
2006021803.tif 000002
【特許請求の範囲】
【請求項１】
短手方向に２分割するための分断手段を有する表側フィルムに、短手方向に２分割した一対のフィルム片により表側フィルムの全部又は一部を覆うと共に表側フィルムの分断手段に位置する箇所にフィルム片同士の重なり部を設けた裏側フィルムを重ね合わせ、内部にシート状食品を収容するための袋部を構成するように表側フィルムと裏側フィルムをヒートシールにより融着した成形米飯食品を包装するためのシート体において、裏側フィルムの一対のフィルム片の重なり部において、重なりの外側に位置する側のフィルム片の裏面に帯状のテープを重なり部に沿って積層したことを特徴とする成形米飯食品包装用シート体。
【請求項２】
裏側フィルムの一対のフィルム片の重なり部において、重なりの外側に位置する側のフィルム片の裏面に積層される帯状のテープの表面を非シートヒール面とした請求項１記載の成形米飯食品包装用シート体。
【請求項３】
下記(1) の構成からなるシート体により製袋される包装体と、これに包装される成形米飯食品からなり、成形米飯食品を載せた状態でシート体を短手側の両端辺同士が向き合うようにコ字状に折り曲げると共に、長手側の両端辺を成形米飯食品の側壁側に折り曲げて互いに接合することにより上方を開口した直方体に製袋し、更に開口において向き合ったシート体の短手側の両端辺同士をヒートシールにより融着することにより封止したことを特徴とする包装付き成形米飯食品。
(1) 短手方向に２分割するための分断手段を有する表側フィルムに、短手方向に２分割した一対のフィルム片により表側フィルムの全部又は一部を覆うと共に表側フィルムの分断手段に位置する箇所にフィルム片同士の重なり部を設けた裏側フィルムを重ね合わせ、内部にシート状食品を収容するための袋部を構成するように表側フィルムと裏側フィルムをヒートシールにより融着したシート体にして、裏側フィルムの一対のフィルム片の重なり部において、重なりの外側に位置する側のフィルム片の裏面に帯状のテープを重なり部に沿って積層したシート体。
【請求項４】
裏側フィルムの一対のフィルム片の重なり部において、重なりの外側に位置する側のフィルム片の裏面に積層される帯状のテープの表面を非シートヒール面とした請求項３記載の成形米飯食品包装用シート体。
【発明の詳細な説明】
【技術分野】
【０００１】
この発明は、おにぎりなどの成形米飯食品を包装するシート体に関し、特に密閉性に意を払ったシート体及びこれを使用した包装付き成形米飯食品に関する。
【背景技術】
【０００２】
おにぎりを包装するためのプラスチックフィルム製の包装材として、図８に示すように短手方向に２分割するためのカットテープ５３からなる分断手段を有する長方形の表側フィルム６０に、短手方向に２分割した一対のフィルム片６１、６２により表側フィルムを覆うと共に表側フィルムの分断手段に位置する箇所にフィルム片同士の重なり部を設けた裏側フィルムを重ね合わせ、内部に海苔Ｎなどのシート状食品を収容するための袋部を構成するように表側フィルムと裏側フィルムをヒートシール部５０Ｓにおいて融着したシート体５０が広く使用されている。
【０００３】
一方、前記のシート体５０を用いた包装付き成形米飯食品として、図９に示すようにおにぎりＲを載せた状態でシート体を短手側の両端辺５０Ａ、５０Ａ同士が向き合うようにコ字状に折り曲げると共に、長手側の両端辺５０Ｂ、５０Ｂを成形米飯食品の側壁側に折り曲げて互いに接合することにより上方を開口した直方体に製袋し、更に開口において向き合ったシート体の短手側の両端辺５０Ａ、５０Ａ同士をヒートシール部ＨＳにおいて融着したものが提案されている。
【特許文献１】実願平３−３５０６３（実開平６−８２６４）のＣＤ−ＲＯＭ
【特許文献２】特開２００４−１５４０６４公報
【発明の開示】
【発明が解決しようとする課題】
【０００４】
前記の包装付き成形米飯食品においては、包装体を構成するシート体は内部に海苔などのシート状食品Ｎを収容するための袋部を有するものであるが、おにぎりＲから蒸散する水分（蒸気）がシート体５０のフィルム片６１、６２同士の重なり部から袋部内に侵入し、収容されているシート状食品Ｎを湿らせ、これが海苔である場合には海苔特有のぱりっとした食感を損なう問題があった。
【０００５】
この場合、フィルム片６１、６２同士が重なり部において確実に重なっていれば前記の現象は可及的に防止できるが、実際には製袋の段階でシート体５０はおにぎりに沿ってコ字状に折り曲げられるので上記重なり部においてフィルム片端がワカメ状に波打って捲れてしまう問題が生じた。
【０００６】
ところで、重なり部においてフィルム片端がワカメ状に波打つことを防止するためには、図１０の（Ａ）に示すようにシート体５０の製造にあたり、重なり部Ｋ１の両端にヒートシール部５０Ｓ、５０Ｓを配して裏側フィルムを表側フィルムに融着することにより、重なり部の擺動範囲を最小限に規制することが有効である。しかしながら、加工精度に照らした場合、ヒートーシールローラＲ１を重なり部Ｋ１の両端に近接して当接することは困難であり、誤って重なり部自体を融着してしまうおそれがありこのような構成は採用できず、ヒートシール部５０Ｓ、５０Ｓは重なり部からはるかに離間した位置に設けざるを得なかった。
【課題を解決するための手段】
【０００７】
この発明は前記の問題を解消するシート体を提供することを目的として創作されたものであり、短手方向に２分割するための分断手段を有する表側フィルムに、短手方向に２分割した一対のフィルム片により表側フィルムの全部又は一部を覆うと共に表側フィルムの分断手段に位置する箇所にフィルム片同士の重なり部を設けた裏側フィルムを重ね合わせ、内部にシート状食品を収容するための袋部を構成するように表側フィルムと裏側フィルムをヒートシールにより融着した成形米飯食品を包装するためのシート体において、裏側フィルムの一対のフィルム片の重なり部において、重なりの外側に位置する側のフィルム片の裏面に重なり部に沿って積層したことを特徴とする。
【０００８】
又、この発明の包装付き成形米飯食品は前記シート体を用いて、成形米飯食品を載せた状態でシート体を短手側の両端辺同士が向き合うようにコ字状に折り曲げると共に、長手側の両端辺を成形米飯食品の側壁側に折り曲げて互いに接合することにより上方を開口した直方体に製袋し、更に開口において向き合ったシート体の短手側の両端辺同士をヒートシールにより融着することにより封止したことを特徴とする。
【０００９】
更に、ここでは前記のシート体及び包装付き成形米飯食品におけるシート体において、裏側フィルムの一対のフィルム片の重なり部において、重なりの外側に位置する側のフィルム片の裏面に積層される帯状のテープの表面を非シートヒール面とした発明も開示することとする。
【発明の効果】
【００１０】
この発明のシート体によれば、裏側フィルムの一対のフィルム片の重なり部において、重なりの外側に位置する側のフィルム片の裏面に帯状のテープを重なり部に沿って積層するので、重なり部において重なりの外側に位置する側のフィルム片の剛性が帯状のテープを積層した分だけ増加する。その結果、第１に剛性を高めたことによりフィルム片自体が撓みにくくなり、第２に剛性の差から剛性を高めた箇所とそれ以外の箇所との境目が擺動の支軸となって擺動範囲が規制される作用を生じ、重なり部においてフィルム片端がワカメ状に波打つことなく、フィルム片同士が重なり部において確実に重なることが実現され湿気の侵入が遮断される効果を奏する。
【００１１】
又、シート体において、裏側フィルムの一対のフィルム片の重なり部において、重なりの外側に位置する側のフィルム片の裏面に積層される帯状のテープの表面を非シートヒール面とした場合には、シート体の表裏フィルムを溶着する際に上記非ヒートシール面が当接する箇所は融着されない作用を生じる。よって、ヒートーシールローラを重なり部の両端に近接して当接した場合に重なり部にローラーが当接してもその部分は溶着されないので、重なり部の両端に可及的に近接させてヒートーシール部を配し、重なり部の擺動範囲を最小限に規制することによりフィルム片端がワカメ状に波打つことを防止することが可能となる。
【発明を実施するための最良の形態】
【００１２】
図１乃至図２はこの発明のシート体１の構成を示す図である。このシート体１は裏面をヒートシール層とした表側フィルム１０と裏側フィルム１３、１４を、内部にシート状食品を収容するための袋部を構成するように重合した構成からなる。表側フィルム１０は長方形からなり、短手方向に２分割するための帯状の切り取りによる分断手段を有する。この実施例においては分断手段として表側フィルム１０の裏面に帯状のテープ１１を積層し、上記テープ１１の表面を非ヒートシール面としている。この実施例においては帯状のテープ１１を従来のカットテープに比し幅広とすると共に適度の腰を有する素材により構成することにより、引き裂きにあたっての指先でのテープ端の探索を容易にしている。又、分断手段（帯状のテープ）の引き上げ開始時における引き裂きを容易にするために、表側フィルムの一端の分断手段の開始箇所の左右に一対の切り込み１２、１２を設けている。
【００１３】
裏側フィルムは包装時におにぎりＲに接する側のフィルムであり、表側フィルム１０の全部又は一部を覆う形状に短手方向に２分割した一対のフィルム片１３及び１４により構成され、これらのフィルム片は表側フィルムの分断手段に位置する箇所において一部分が重なる重なり部Ｋを構成する。
【００１４】
表側フィルム１０と裏側フィルム１３、１４は、裏側フィルムのフィルム片同士の重なり部を除いた周縁にヒートシール部Ｓ１を設けて融着、重合されることにより内部にシート状食品Ｎを収容するための袋部を構成する。この実施例においてはシート状食品Ｎとして海苔を想定している。
【００１５】
前記の裏側フィルムの一対のフィルム片１３及び１４の重なり部Ｋにおいて、重なりの外側に位置する側のフィルム片１４の裏面に帯状のテープ１５を重なり部に沿って積層する。尚、この実施例においては上記帯状のテープ１５の表面を非ヒートシール面としている。上記帯状のテープ１５はフィルム片１４に対しより剛性の高いものを採択してもよい。
【００１６】
図１１の（Ｂ）はこの実施例のシート体１の表裏フィルムの融着状態を示す概念図である。この実施例においては、ヒートシールローラＲとして一対のフィルム片１３及び１４の重なり部Ｋより幅広のものを採用し、重なり部上に当接する。この場合、前記したように重なりの外側に位置する側のフィルム片１４には表面を非ヒートシール面とした帯状のテープ１５が積層されているので、重なり部ＫはヒートシールローラＲにより融着することなく、重なり部の両端に可及的に近接したヒートーシール部Ｓ２、Ｓ２のみが融着することとなり、重なり部の擺動範囲が最小限に規制されることとなる。
【００１７】
図３乃至図７はこの発明のシート体を用いた包装付き成形米飯食品の一例の製造過程を示す図であり、ここでは成形米飯食品として三角形状のおにぎりを例示している。図中符号１はシート体であり、ここにおにぎりＲを当接した状態で折り目２Ｂ、２Ｂを境として包装体の正面部Ａ、底襠部Ｂ、背面部Ｃを構成する領域がおにぎりの正面に密接するようにコ字状に折り曲げられ、その後、折り目２Ａ、２Ａを境として包装体の側襠部Ｄ、Ｄを構成する領域３、３がおにぎり側に折り曲げられる。又、その際に包装体の側襠部Ｄ、Ｄを構成する領域３、３と折り目２Ａに挟まれる領域４が折り目２Ｂ、２Ｂ及び２Ｃ、２Ｃを境として折り畳まれて、領域３、３の裏面に重合される。
【００１８】
以上の過程により上方を開口した直方体からなる包装体が得られ、側襠部Ｄ、Ｄを構成する領域３、３と、折り畳まれてその裏面に重合される領域４がヒートシール部Ｓ２において同時に融着されると共に、領域３、３同士もヒートシールされる（図５参照）。
【００１９】
次に、側襠部Ｄ、Ｄを折り目５Ａが包装体内方に突出するように内方に折り込みながら正面部Ａと背面部Ｃを開口において近接させ（図６参照）、更に開口において向き合ったシート体１の短手側の両端辺同士をヒートシール部Ｓにおいて融着して封止することにより一連の包装は完了する（図７参照）。
【図面の簡単な説明】
【００２０】
【図１】この発明のシート体の分解斜視図。
【図２】同上、断面図。
【図３】この発明の装付き成形米飯食品の製造過程を示す斜視図。
【図４】同上、製造過程を示す斜視図。
【図５】同上、製造過程を示す斜視図。
【図６】同上、製造過程を示す斜視図。
【図７】この発明の包装付き成形米飯食品の斜視図。
【図８】従来技術の成形米飯食品のシート体の分解斜視図。
【図９】従来技術の包装付き成形米飯食品の斜視図。
【図１０】この発明と従来技術の作用の対比を図示した構成図。
【符号の説明】
【００２１】
Ｒ            成形米飯食品
Ｎ            シート状食品
Ｓ１          ヒートーシール部
Ｓ２          ヒートーシール部
１            シート体
１０          表側フィルム
１２          帯状のテープ
１３          （裏側フィルムを構成する）フィルム片
１４          （裏側フィルムを構成する）フィルム片
１５          帯状のテープ
【図１】
2006021803.tif 000003
【図２】
2006021803.tif 000004
【図３】
2006021803.tif 000005
【図４】
2006021803.tif 000006
【図５】
2006021803.tif 000007
【図６】
2006021803.tif 000008
【図７】
2006021803.tif 000009
【図８】
2006021803.tif 000010
【図９】
2006021803.tif 000011
【図１０】
2006021803.tif 000012